(57)【要約】【課題】  オイルパンと清掃用ブラシが競らず、未清掃部分を残さないで効率よく清掃できるマンコンベア用オイルパンを得る。【解決手段】  上部トラス１Ａ、下部トラス１Ｂ及び中部トラス１Ｃからなるマンコンベアのトラスの底部に複数個に分割されて取り付けられるものにおいて、上部トラスの底部に取り付けられる上部オイルパン４Ａは直線部６ｃと下折れ曲り部６ａとからなり、下部トラスの底部に取り付けられる下部オイルパン４Ｂは直線部６ｃと上折れ曲り部６ｂとからなり、上部オイルパンの下折れ曲り部及び下部オイルパンの上折れ曲り部を帰路側ステップのライン９の曲率に合わせた曲面形状で形成した。【選択図】    図４
2007039164.tif 000002
【特許請求の範囲】
【請求項１】
上部トラス、下部トラス及び中部トラスからなるマンコンベアのトラスの底部に複数個に分割されて取り付けられるマンコンベアのオイルパンにおいて、
上部トラスの底部に取り付けられる上部オイルパンは直線部と下折れ曲り部とからなり、下部トラスの底部に取り付けられる下部オイルパンは直線部と上折れ曲り部とからなり、前記上部オイルパンの下折れ曲り部及び前記下部オイルパンの上折れ曲り部を帰路側ステップのラインの曲率に合わせた曲面形状で形成したことを特徴とするマンコンベアのオイルパン。
【請求項２】
上部オイルパンの下折れ曲り部及び下部オイルパンの上折れ曲り部の曲率をオイルパン清掃装置用ブラシのラインの曲率に合わせた曲面形状で形成したことを特徴とする請求項１記載のマンコンベアのオイルパン。
【請求項３】
上部オイルパンの下折れ曲り部及び下部オイルパンの上折れ曲り部を曲面相当の多角面形状で形成したことを特徴とする請求項１又は請求項２記載のマンコンベアのオイルパン。
【請求項４】
上部トラス、下部トラス及び中部トラスの底部にそれぞれ取り付けられる直線部を成す上部オイルパン、下部オイルパン及び中部オイルパンを帰路側ステップのラインと等間隔で設置したことを特徴とする請求項１〜請求項３のいずれかに記載のマンコンベアのオイルパン。
【請求項５】
上部トラス、下部トラス及び中部トラスの底部にそれぞれ取り付けられる直線部を成す上部オイルパン、下部オイルパン及び中部オイルパンをオイルパン清掃装置用ブラシのラインと等間隔で設置したことを特徴とする請求項１〜請求項３のいずれかに記載のマンコンベアのオイルパン。
【発明の詳細な説明】
【技術分野】
【０００１】
この発明は、エスカレーターや傾斜タイプの動く歩道のマンコンベアに設けられ、ステップを連結しているローラーチェンから滴下するオイルを受けるマンコンベア用オイルパンに関するものである。
【背景技術】
【０００２】
従来のマンコンベア用オイルパンにおいては、多数のステップがローラーチェンで連結されて上部トラス、中部トラス、下部トラス内を循環している。マンコベアを円滑に運転するためローラーチェンには多量のオイルが定期的に給油される。この時、余剰のオイルがローラーチェンから滴下するためオイルパンが設けられている（例えば、特許文献１参照）。
【０００３】
従来のマンコンベア用オイルパンについて図８〜図１５により説明する。図８は従来のマンコンベアの一例を示す全体構成図、図９は図８のＨ−Ｈ方向より見たオイルパンのみを示す模式図、図１０は図９の側面方向より見たオイルパンを示す模式図である。また、図１１は図１０の上部オイルパンを示す拡大斜視図、図１２は図１０の下部オイルパンを示す拡大斜視図である。また、図１３は図１０のＬ−Ｌ線に沿った断面図、図１４は図８のＢ部の拡大詳細図、図１５は図８のＣ部の拡大詳細図である。
【０００４】
図において、１はトラス、１Ａは上部トラス、１Ｂは下部トラス、１Ｃは中部トラス、１ａ、１ｂは下梁、１ｃ、１ｄは横梁、１ｅ、１ｆ、１ｇ、１ｈは縦梁、１ｊは長穴、２はステップ、３はローラーチェン、５Ａ、５Ｂはスプロケット、８は往路側ステップのライン、９は帰路側ステップのライン、１１はオイルパン、１１Ａは上部オイルパン、１１Ｂは下部オイルパン、１１Ｃ−１、１１Ｃ−２は中部オイルパン、１２、１２ａは止め金、１３はＪボルト、１３ａはＵボルト、１４はナット、１５は座金、１６はバネ座金、２０ａ、２０ｂは隙間である。
上部トラス１Ａ、中部トラス１Ｃ、下部トラス１Ｂで分割構成された各々のトラスの接続部及び終端部の下端側面には、曲げ部材で製作された縦梁１ｅ、1ｆと、山形鋼で製作された縦梁１ｇ、１ｈが下梁１ａ、１ｂの内側面に溶接固定されている。上部トラス１Ａ及び下部トラス１Ｂの下梁１ａ、１ｂ間の終端部には、コ形綱の横梁１ｄとそれ以外の上部トラス１Ａ、中部トラス１Ｃ、下部トラス１Ｂの下梁１ａ、１ｂ間には山形鋼で製作された横梁１ｃが等間隔に設けられ、トラス下梁１ａ、１ｂの下面に溶接されている。トラス１は、上階側の中問部が折曲した上部トラス１Ａと対称形の下階側の下部トラス１Ｂとの間に設けられ上部トラス１Ａと下部トラス１Ｂに接続される中部トラス１Ｃで構成されている。図８において、上部トラス１Ａの上階側には図示しない減速機に駆動チェーンを介して連結されたスプロケット５Ａと下部トラス１Ｂの下階側にはスプロケット５Ｂがある。これらのスプロケット５Ａ、５Ｂはローラーチェン３が巻装され、このローラーチェン３は図示しない減速機を駆動する電動機によって駆動される。２はローラーチェン３により連結されてトラス１内を循環する多数のステップ、１１Ａは上部トラス１Ａの下部底面横梁１ｃ、１ｄ上に設置される上部オイルパン（第１オイルパン）、１１Ｃ−１、１１Ｃ−２は中部トラス１Ｃの下部底面横梁１ｃ上に設置される中部オイルパン（第３オイルパン）、１１Ｂは下部トラス１Ｂの下部底面横梁１ｃ、１ｄ上に設置される下部オイルパン（第２オイルパン）で、トラス１の全長に渡って帰路側ステップのライン９と隙間２０ａ及び２０ｂを保ってオイルパンが設置される。この上部オイルパン１１Ａ、下部オイルパン１１Ｂ、中部オイルパン１１Ｃ−１、１１Ｃ−２は、一般的に薄鋼板で製作され、周縁部には立ち上がりフランジが設けられて横梁１ｃ、１ｄに支持されている。図１３、図１４に示すように、上部オイルパン１１Ａ、下部オイルパン１１Ｂ、中部オイルパン１１Ｃ−１、１１Ｃ−２の接続部の固定は、上部オイルパン１１Ａの下階側の端部が中部オイルパン１１Ｃ−１の上階側の端部上面と、中部オイルパン１１Ｃ−１の下階側の端部が中部オイルパン１１Ｃ−２の上階側の端部上面と、また中部オイルパン１１Ｃ−２の下階側の端部が下部オイルパン１１Ｂの上階側の端部上面と重なるように取付けられる。各々のオイルパンの接続部に対して、断面コ形形状の止め金１２の片側を上部オイルパン１１Ａ、中部オイルパン１１Ｃ−１、１１Ｃ−２、下部オイルパン１１Ｂの各々重ね合せ部のフランジ４ｂの内面底部に挿入し、止め金１２の片側を横梁１ｃ上面に設置して縦梁１ｅ、１ｆに止め金１２を当ててＪボルト１３を横梁１ｃに施工の長穴１ｊから止め金１２に挿入して、ナット１４、座金１５、バネ座金１６を用いて上部オイルパン１１Ａ、中部オイルパン１１Ｃ−１、１１Ｃ−２、下部オイルパン１１Ｂの各々接続部分で取付け固定している。図１５は、上部トラス１Ａ、下部トラス１Ｂの上部オイルパン１１Ａ、下部オイルパン１１Ｂの終端部の取付けを示し、上部オイルパン１１Ａ、下部オイルパン１１Ｂ終端部のフランジ４ｂの内面底部に断面コ形形状の止め金１２ａの片側を挿入し、Ｕボルト１３ａを横梁１��に施工の長穴１ｊから止め金１２ａに挿入してナット１４、座金１５、バネ座金１６で取付け固定するという構成にしている。
【０００５】
【特許文献１】実開昭５９−１１２８７６号公報
【特許文献２】特開平６−２８６９６９号公報
【発明の開示】
【発明が解決しようとする課題】
【０００６】
従来のマンコンベア用オイルパンでは、一般的に薄鋼板で製作され材料の歩留りを優先した直線形状で製作することを基本とし、上部トラスのオイルパンの折れ曲げ部は凸形となり、下部トラスのオイルパンの折れ曲げ部では凹形となっている。例えば、特許文献２に示されるような現状のオイルパン清掃装置を使用する場合、上部オイルパンの折れ曲げ部の凸部において、オイルパンと清掃用ブラシの間隔が変化することから調整が悪い場合、オイルパンと清掃用ブラシが競って互いに損傷させる恐れがあった。更には、下部オイルパンの折れ曲げ部の凹部において、オイルパン清掃装置の清掃用ブラシが届き難いことからオイルパンの凹部の奥深い範囲に未清掃部分が残るという問題があり、オイルパン清掃装置の機能が著しく制限されるという欠点があった。
【０００７】
この発明は上記のような課題を解決するためになされたもので、オイルパンと清掃用ブラシが競らず、未清掃部分を残さないで効率よく清掃できるマンコンベア用オイルパンを提供することを目的としている。
【課題を解決するための手段】
【０００８】
この発明に係るマンコンベア用オイルパンにおいては、上部トラス、下部トラス及び中部トラスからなるマンコンベアのトラスの底部に複数個に分割されて取り付けられるものにおいて、上部トラスの底部に取り付けられる上部オイルパンは直線部と下折れ曲り部とからなり、下部トラスの底部に取り付けられる下部オイルパンは直線部と上折れ曲り部とからなり、上部オイルパンの下折れ曲り部及び下部オイルパンの上折れ曲り部を帰路側ステップのラインの曲率に合わせた曲面形状で形成したものである。
【発明の効果】
【０００９】
この発明によれば、上部オイルパンと下部オイルパンの折れ曲り部を曲面形状化とすることで、オイルパン清掃装置による清掃効率を図ることが容易に出来るマンコンベア用オイルパンを提供することができる。
【発明を実施するための最良の形態】
【００１０】
実施の形態１.
図１はこの発明の実施の形態１におけるマンコンベア用オイルパンの形態を示すマンコンベアの全体構成図、図２は図１のＡ−Ａ方向より見たオイルパンを示す模式図、図３は図２の側面方向より見たオイルパンを示す模式図、図４は図３の上部オイルパンを示す拡大斜視図、図５は図３の下部オイルパンを示す拡大斜視図である。また、図１３は図３のＬ−Ｌ線に沿った断面図、図１４は図１のＢ部の拡大詳細図、図１５は図１のＣ部の拡大詳細図である。
【００１１】
以下、この発明の実施の形態１を図１〜図５及び図１３〜図１５により説明する。
図において、１はトラス、１Ａは上部トラス、１Ｂは下部トラス、１Ｃは中部トラス、１ａ、１ｂは下梁、１ｃ、１ｄは横梁、１ｅ、１ｆ、１ｇ、１ｈは縦梁、１ｊは長穴、２はステップ、３はローラーチェン、５Ａ、５Ｂはスプロケット、８は往路側ステップのライン、９は帰路側ステップのライン、４はオイルパン、４Ａは上部オイルパン（第１オイルパン）、４Ｂは下部オイルパン（第２オイルパン）、４Ｃ−１、４Ｃ−２は中部オイルパン（第３オイルパン）、４ｂはオイルパン４の周縁部に設けられた立ち上がりフランジ、６ａは上部オイルパン４Ａに設けられた下折れ曲り部、６ｂは下部オイルパン４Ｂに設けられた上折れ曲り部、６ｃは上部オイルパン４Ａ及び下部オイルパン４Ｂに設けられた直線部、１２、１２ａは止め金、１３はＪボルト、１３ａはＵボルト、１４はナット、１５は座金、１６はバネ座金、２０ａは隙間である。
上部トラス１Ａと下部トラス１Ｂの下部下梁１ａ、１ｂの側面の接続部及び終端部で取付け固定する上部オイルパン４Ａの下折れ曲り部６ａと下部オイルパン４Ｂの上折れ曲り部６ｂを曲面形状とし、上部トラス１Ａ及び下部トラス１Ｂの下部底面の幅方向内全面に設置出来る寸法で構成されている。
【００１２】
また、図１において、前記下折れ曲り部６ａ、上折れ曲り部６ｂ以外の直線部６ｃを成す上部オイルパン４Ａ、下部オイルパン４Ｂ及び中部オイルパン４Ｃ−１、４Ｃ−２は、帰路側ステップのライン９と隙間２０ａを保ってトラス１の全長に渡って等間隔になるように設置されている。
従って、従来の技術で示した図８〜図１２と異なるところは、上部トラス１Ａの下部底面に取り付けられる上部オイルパン４Ａ及び下部トラス１Ｂの下部底面に取り付けられる下部オイルパン４Ｂの折れ曲り部６ａ、６ｂと前記以外の直線部６ｃを成すオイルパン４を帰路側ステップのライン９と等間隔に設置したことである。図１３〜図１５及び他の部分は、従来の技術と同一となるので説明を省略する。
【００１３】
このように構成されたマンコンベア用オイルパンにおいては、上部オイルパン４Ａと下部オイルパン４Ｂの折れ曲り部の曲率を帰路側ステップのライン９に沿ったラインで曲面形状化し、且つ前記以外の直線部６ｃを成すオイルパンを帰路側ステップのライン９と等間隔で設置にすることでオイルパン表面が滑らかになり、オイルパン清掃装置の清掃効率を図ることができ、オイルパン上のゴミ、綿埃、粉塵等をきれいに取除くことが容易となる。
【００１４】
実施の形態２.
図６はこの発明の実施の形態２におけるマンコンベア用オイルパンの上部オイルパンを示す拡大斜視図、図７は下部オイルパンを示す拡大斜視図である。なお、実施の形態１と同一又は相当部分には同一符号を付しているので、説明を省略する。
上記実施の形態1では、上部オイルパン４Ａの下折れ曲り部６ａと下部オイルパン４Ｂの上折れ曲り部６ｂを滑らかになるよう曲面で形成し、オイルパン清掃装置の清掃効率を図るように構成したが、この実施の形態２においては、下折れ曲り部６ａ、上折れ曲り部６ｂを帰路側ステップのライン９に合わせたラインで曲面相当の多角面形状となる下折れ曲り部７ａ、上折れ曲り部７ｂで形成してもよく、このような構成によっても同様な効果を得ることができる。同様に直線部６ｃを成すオイルパンは、帰路側ステップのライン９と等間隔に設置する。
【００１５】
実施の形態３.
なお、この発明の実施の形態１及び実施の形態２において、上部オイルパン４Ａの下折れ曲り部６ａと下部オイルパン４Ｂの上折れ曲り部６ｂの曲面形状の曲率を使用するオイルパン清掃装置用ブラシのライン(帰路側ステップのライン９と同等につき図示省略)に沿ったラインでオイルパンを構成しても同様な効果を得ることができる。その際は、前記以外の直線部６ｃを成すオイルパンはオイルパン清掃装置用ブラシのラインに合わせたラインで等間隔に設置する。清掃装置用ブラシを基本にオイルパンを設置することから種々のオイルパン清掃装置の清掃用ブラシ長さに違いがあっても対応が可能となり、清掃ブラシの延命化を図ると共にオイルパン上のゴミ、綿埃、粉塵等をきれいに取除くことが容易となる。
【図面の簡単な説明】
【００１６】
【図１】この発明の実施の形態１におけるマンコンベア用オイルパンの形態を示すマンコンベアの全体構成図である。
【図２】図１のＡ−Ａ方向より見たオイルパンを示す模式図である。
【図３】図２の側面方向より見たオイルパンを示す模式図である。
【図４】図３の上部オイルパンを示す拡大斜視図である。
【図５】図３の下部オイルパンを示す拡大斜視図である。
【図６】この発明の実施の形態２におけるマンコンベア用オイルパンの上部オイルパンを示す拡大斜視図である。
【図７】この発明の実施の形態２におけるマンコンベア用オイルパンの下部オイルパンを示す拡大斜視図である。
【図８】従来のマンコンベアの一例を示す全体構成図である。
【図９】図８のＨ−Ｈ方向より見たオイルパンのみを示す模式図である。
【図１０】図９の側面方向より見たオイルパンを示す模式図である。
【図１１】図１０の上部オイルパンを示す拡大斜視図である。
【図１２】図１０の下部オイルパンを示す拡大斜視図である。
【図１３】図３及び図１０のＬ−Ｌ線に沿った断面図である。
【図１４】図１及び図８のＢ部の拡大詳細図である。
【図１５】図１及び図８のＣ部の拡大詳細図である。
【符号の説明】
【００１７】
１  トラス
１Ａ  上部トラス
１Ｂ  下部トラス
１Ｃ  中部トラス
１ａ、１ｂ  下梁
１ｃ、１ｄ  横梁
１ｅ〜１ｈ  縦梁
１ｊ  長穴
２  ステップ
３  ローラーチェン
４  オイルパン
４Ａ  上部オイルパン（第１オイルパン）
４Ｂ  下部オイルパン（第２オイルパン）
４Ｃ−１、４Ｃ−２  中部オイルパン（第３オイルパン）
４ｂ  立ち上がりフランジ
５Ａ、５Ｂ  スプロケット
６ａ、７ａ  下折れ曲り部
６ｂ、７ｂ  上折れ曲り部
６ｃ  直線部
８  往路側ステップのライン
９  帰路側ステップのライン
１２、１２ａ  止め金
１３  Ｊボルト
１３ａ  Ｕボルト
１４  ナット
１５  座金
１６  バネ座金
２０ａ、２０ｂ  隙間
【図１】
2007039164.tif 000003
【図２】
2007039164.tif 000004
【図３】
2007039164.tif 000005
【図４】
2007039164.tif 000006
【図５】
2007039164.tif 000007
【図６】
2007039164.tif 000008
【図７】
2007039164.tif 000009
【図８】
2007039164.tif 000010
【図９】
2007039164.tif 000011
【図１０】
2007039164.tif 000012
【図１１】
2007039164.tif 000013
【図１２】
2007039164.tif 000014
【図１３】
2007039164.tif 000015
【図１４】
2007039164.tif 000016
【図１５】
2007039164.tif 000017